(57)【要約】【課題】天井板から天井スラブ等の天井部までの高さが相当高い場合でも吊りボルトの揺れを極力小さくし、天井下地や天井板の破損を防止できる天井板吊持装置を提供する。【解決手段】天井スラブＳ等の天井部に多数の第１吊りボルト１を垂下状態に取り付け、これら第１吊りボルト１の下端部に亘って振れ止め用の水平支持枠３を、各第１吊りボルト１の下端部に取り付けられる取付金具４を介して横架し、この水平支持枠３に複数の第２吊りボルト２を吊りボルト用ハンガー５を介して垂下装備し、各第２吊りボルト２の下端部には野縁受け用ハンガー６を取り付け、これら野縁受け用ハンガー６間に野縁８を支持するための野縁受け７を橋架する。【選択図】図２
2006097250.tif 000002
【特許請求の範囲】
【請求項１】
天井スラブ等の天井部に多数の第１吊りボルトを垂下状態に取り付け、これら第１吊りボルトの下端部に亘って振れ止め用の水平支持枠を、各第１吊りボルトの下端部に取り付けられる取付金具を介して横架し、この水平支持枠に複数の第２吊りボルトを吊りボルト用ハンガーを介して垂下装備し、各第２吊りボルトの下端部には野縁受け用ハンガーを取り付けて、これら野縁受け用ハンガー間に野縁を支持するための野縁受けを橋架してなる天井板吊持装置。
【請求項２】
前記水平支持枠はＣ形鋼よりなり、前記取付金具は、水平支持枠に外嵌可能なコ形本体と、このコ形本体の両端部の上下対向位置に設けたボルト挿通孔と、第１吊りボルトに螺合する上下一対のナットとからなるもので、水平支持枠に外嵌させたコ形本体の両端部のボルト挿通孔を第１吊りボルトに挿通させて、コ形本体と第１吊りボルトとで水平支持枠を抱持し、第１吊りボルトに螺合した上下一対のナットでコ形本体の両端部を挟み付けて固定するようにしてなる請求項１に記載の天井板吊持装置。
【発明の詳細な説明】
【技術分野】
【０００１】
本発明は、天井スラブや梁材又は桁材等の天井部に、吊りボルトを介して天井板を吊持する天井板吊持装置に関するものである。
【背景技術】
【０００２】
従来の天井板吊持装置として、特許公報等の公知文献を具体的に挙げることはできないが、従来の天井板吊持装置を図４によって説明すると、例えば天井スラブＡ内に埋設したインサートナットＢに吊りボルトＣの上端部をねじ込んで、吊りボルトＣを天井スラブＡから垂下し、吊りボルトＣの下端部には一対のナットＤ，Ｄを取り付けると共に、両ナットＤ，Ｄ間に野縁受け用ハンガーＥを装着する。このような吊りボルトＣ、ナットＤ及び野縁受け用ハンガーＥを天井スラブＡに多数垂下装備した状態で、野縁受け用ハンガーＥ，Ｅ間に野縁受けＦを橋架すると共に、野縁受けＦの適所にグリップＧを取り付け、このグリップＧをによって多数の野縁Ｈを取り付け、この野縁Ｈに天井板Ｉを釘打ちによって取り付けるようにしている。
【発明の開示】
【発明が解決しようとする課題】
【０００３】
上記のような天井板吊持装置では、天井板Ｉから天井スラブＡ等の天井部までの高さが４〜５ｍ程度では問題はないが、その高さが８〜１０ｍにもなると、地震発生の際に吊りボルトＣの揺れが大きく、この吊りボルトＣの揺れに伴い野縁受けＦや野縁Ｈが揺れて、これらの天井下地及び天井板が破損するという問題があった。
【０００４】
本発明は、上記の問題に鑑み、吊りボルトを第１吊りボルトと第２吊りボルトとに分割構成して、第１吊りボルトと第２吊りボルトとの中間に水平支持枠を介在させるようにすることにより、天井板から天井スラブ等の天井部までの高さが相当に高い場合でも吊りボルトの揺れを極力小さくし、それによって天井下地及び天井板の破損を防止できる天井板吊持装置を提供することを目的とする。
【課題を解決するための手段】
【０００５】
上記課題を解決するための手段を、後述する実施形態の参照符号を付して説明すると、請求項１に係る天井板吊持装置は、天井スラブＳ等の天井部に多数の第１吊りボルト１を垂下状態に取り付け、これら第１吊りボルト１の下端部に亘って振れ止め用の水平支持枠３を、各第１吊りボルト１の下端部に取り付けられる取付金具４を介して横架し、この水平支持枠３に複数の第２吊りボルト２を吊りボルト用ハンガー５を介して垂下装備し、各第２吊りボルト２の下端部には野縁受け用ハンガー６を取り付けて、これら野縁受け用ハンガー６間に野縁８を支持するための野縁受け７を橋架してなることを特徴とする。
【０００６】
請求項２は、請求項１に記載の天井板吊持装置において、前記水平支持枠３はＣ形鋼よりなり、前記取付金具４は、水平支持枠３に外嵌可能なコ形本体１１と、このコ形本体１１の両端部の上下対向位置に設けたボルト挿通孔１２，１２と、第１吊りボルト１に螺合する上下一対のナット１３，１３とからなるもので、水平支持枠３に外嵌させたコ形本体１１の両端部のボルト挿通孔１２，１２を第１吊りボルト１に挿通させて、コ形本体１１と第１吊りボルト１とで水平支持枠３を抱持し、第１吊りボルト１に螺合した上下一対のナット１３，１３でコ形本体１１の両端部を挟み付けて固定するようにしてなることを特徴とする。
【発明の効果】
【０００７】
上記解決手段による発明の効果を、後述する実施形態の参照符号を付して説明すると、請求項１に係る発明によれば、天井部Ｓに多数の第１吊りボルト１を垂下状態に取り付け、これら第１吊りボルト１の下端部に亘って振れ止め用の水平支持枠３を取付金具４を介して横架し、この水平支持枠３に複数の第２吊りボルト２を吊りボルト用ハンガー５を介して垂下装備し、各第２吊りボルト２の下端部に野縁受け用ハンガー６を取り付け、これら野縁受け用ハンガー６間に野縁受け７を橋架するようにしたから、天井部Ｓから下方へ相当な距離、例えば８〜１０ｍも離れた位置に天井板１１を取り付けた場合でも、地震発生の際には、第１吊りボルト１と第２吊りボルト２と間に介在する振れ止め用の水平支持枠３によって、第１吊りボルト１及び第２吊りボルト２の揺れが極力小さくなり、従って野縁受け７や天井板取付用野縁８の揺れも小さく、これらの天井下地や天井板１０の破損を防止することができる。
【０００８】
請求項２に係る発明によれば、取付金具４は、水平支持枠３はＣ形鋼よりなる水平支持枠３に外嵌可能なコ形本体１１と、コ形本体１１の両端部の上下対向位置に設けたボルト挿通孔１２，１２と、第１吊りボルト１に螺合する上下一対のナット１３，１３とからなるもので、水平支持枠３に外嵌させたコ形本体１１の両端部のボルト挿通孔１２，１２を第１吊りボルト１に挿通させて、コ形本体１１と第１吊りボルト１とで水平支持枠３を抱持し、第１吊りボルト１に螺合した上下一対のナット１３，１３でコ形本体１１の両端部を挟み付けて固定するようにしたもので、取付金具４の構造がきわめて簡単で、水平支持枠３の取付作業を簡単容易に行うことができる。
【発明を実施するための最良の形態】
【０００９】
以下に本発明の好適な実施形態を図面に基づいて説明すると、図１は本発明に係る天井板吊持装置を示す斜視図、図２は同天井板吊持装置の正面図、図３の(a) は図２のＸ−Ｘ線断面図、(b) は図２のＹ−Ｙ線断面図である。この実施形態の天井板吊持装置は、建物躯体の天井スラブＳ（天井部）から下方へ例えば約８〜１０ｍ隔たった位置に天井板１１を取り付けるようにした装置であって、天井スラブＳに第１吊りボルト１を多数垂下状態に取り付け、これら第１吊りボルト１の下端部に亘って振れ止め用の水平支持枠３を、各第１吊りボルト１の下端部に取り付けられる取付金具４を介して横架し、この水平支持枠３に複数の第２吊りボルト２を吊りボルト用ハンガー５を介して垂下装備し、各第２吊りボルト２の下端部には野縁受け用ハンガー６を取り付けて、これら野縁受け用ハンガー６間に野縁８を支持するための野縁受け７を橋架し、この野縁受け７に複数の天井板取付用野縁８を夫々グリップ９によって取り付け、しかして野縁８に天井板１０を釘打ちにより取り付けたものである。
【００１０】
上記天井板吊持装置の構造について詳しく説明すれば、振れ止め用の水平支持枠３は、リップ付き溝形鋼と呼ばれるＣ形鋼（ライトゲージ）よりなる。各第１吊りボルト１は、長さ４〜５ｍの所要径のものを使用する。この第１吊りボルト１の下端部に取り付けられる取付金具４は、水平支持枠３に外嵌可能な鋼板製のコ形本体１１と、このコ形本体１１の両端部の上下対向位置に設けたボルト挿通孔１２，１２と、第１吊りボルト１に螺合する上下一対のナット１３，１３とからなるもので、コ形本体１１は、上下板部１１ａ，１１ｂとこれらをつなぐ連結板部１１ｃとによって側面視コ形に形成され、上下板部１１ａ，１１ｂの夫々先端部側にボルト挿通孔１２が設けられていて、水平支持枠３に外嵌させたコ形本体１１の両端部のボルト挿通孔１２，１２を第１吊りボルト１に挿通させて、コ形本体１１と第１吊りボルト１とで水平支持枠３を抱持し、第１吊りボルト１に螺合した上下のナット１３，１３でコ形本体１１の上下両端部を挟み付けて固定するようになっている。
【００１１】
吊りボルト用ハンガー５は、竪板片５ａと、この竪板片５ａの下端部から水平に直角に延びる横板片５ｂとからなり、竪板片５ａの上端部にはリップ付き溝形鋼からなる水平支持枠３の下側リップ部３ａに係嵌する略下向きコ字状の係嵌部１４を形成し、横板片５ｂには第２吊りボルト２が螺合するネジ孔１５を形成したもので、図３の(b) に示すように、横板片５ｂのネジ孔１５に第２吊りボルト２の上端部をねじ込んだ状態で、竪板片５ａの係嵌部１４を係嵌させ、この状態で第２吊りボルト２をネジ孔１５に対し上向きにねじ込んで、ボルト２の上端面を水平支持枠３の下側面３ｏに押し付けることによって、第２吊りボルト２を水平支持枠３に一体的に垂下装備するようになっている。各第２吊りボルト２は、第１吊りボルト１と同じく長さが４〜５ｍで、第１吊りボルト１と同径のものを使用してもよいが、第１吊りボルト１より若干径小のものを使用することができる。
【００１２】
第２吊りボルト２の下端部に取り付けられる野縁受け用ハンガー６は、図４に示される従来の野縁受け用ハンガーＥと同じ構造で、周知であり、第２吊りボルト２に挿通される取付部６ａが上下一対のナット１６，１６で第２吊りボルト２に挟着固定される。また、野縁受け７に天井板取付用野縁８を取り付けるグリップ９も、図４に示される従来のグリップＧと同じ構造で、周知である。第１吊りボルト１の上端部は、天井スラブＳに埋設されたインサートナット１７にねじ込んで取り付けるようになっている。また、野縁受け７には溝形鋼（チャンネル材）が使用され、野縁８には一般にＭバーと称される形鋼材が使用される。
【００１３】
上記のように構成される天井板吊持装置の施工について説明すると、先ず、天井スラブＳに第１吊りボルトを垂下状態に取り付け、この第１吊りボルト１により取付金具４を介して振れ止め用水平支持枠３を天井スラブＳから４〜５ｍ下方の位置に水平に横架する。この場合、水平支持枠３としては長さが例えば５ｍのＣ形鋼（ライトゲージ）を使用し、この水平支持枠３の両端部を先に、天井スラブＳから垂下した２本の第１吊りボルト１により夫々取付金具４を介して横架し、その後にこの水平支持枠３の中間部複数箇所を複数本の第１吊りボルト１により夫々取付金具４を介して吊持する。また、水平支持枠３は接続具（図示せず）によって長さ方向に適宜に接続する。
【００１４】
こうして水平支持枠３を天井スラブＳから４〜５ｍ下方位置に水平に横架したならば、この水平支持枠３に複数の第２吊りボルト２を吊りボルト用ハンガー５を介して垂下装備する。この場合、図３の(b) に示すように、吊りボルト用ハンガー５の横板片５ｂのネジ孔１５に第２吊りボルト２の上端部をねじ込んだ状態で、竪板片５ａの係嵌部１４をリップ付き溝形鋼からなる水平支持枠３の下側リップ部３ａに係嵌させ、この状態で第２吊りボルト２をネジ孔１５に対し上向きにねじ込んで、ボルト２の上端面を水平支持枠３の下側面３ｏに押し付けることにより、第２吊りボルト２を水平支持枠３に一体的に垂下装備する。
【００１５】
それから、各第２吊りボルト２の下端部には野縁受け用ハンガー６を取り付け、これら野縁受け用ハンガー６間に野縁受け７を嵌め込むことによって、野縁受け７を水平支持枠３から４〜５ｍ下方位置に橋架し、この野縁受け７の所定箇所にグリップ９を取り付け、このグリップ９によって野縁受け７の下側でこれと直交する位置に天井板取付用野縁８を取り付ける。そして、この野縁Ｈに天井板１０を釘打ちによって取り付け、図１〜図３に示すような状態とする。
【００１６】
以上説明したように、建物の天井スラブＳから下方へ例えば約８〜１０ｍも離れた位置に天井板１１を取り付けるにあたって、天井スラブＳに第１吊りボルト１を多数垂下状態に取り付け、これら第１吊りボルト１の下端部に亘って振れ止め用水平支持枠３を、各第１吊りボルト１の下端部に取り付けられる取付金具４によって、天井スラブＳから４〜５ｍ下方位置に水平に横架し、この水平支持枠３に複数の第２吊りボルト２を垂下装備し、各第２吊りボルト２の下端部に野縁受け用ハンガー６を取り付け、これら野縁受け用ハンガー６間に野縁受け７を水平支持枠３から４〜５ｍ下方位置に橋架するようにしたから、地震発生時には、第１吊りボルト１と第２吊りボルト２と間に介在する振れ止め用の水平支持枠３によって、第１吊りボルト１及び第２吊りボルト２の揺れは極力小さくなり、従って野縁受け７や天井板取付用野縁８の揺れも小さく、これらの天井下地や天井板１０が破損するのを防止することができる。
【００１７】
またこの天井板吊持装置では、水平支持枠３はＣ形鋼よりなり、取付金具４は、水平支持枠３に外嵌可能なコ形本体１１と、コ形本体１１の両端部の上下対向位置に設けたボルト挿通孔１２，１２と、第１吊りボルト１に螺合する上下一対のナット１３，１３とからなるもので、水平支持枠３に外嵌させたコ形本体１１の両端部のボルト挿通孔１２，１２を第１吊りボルト１に挿通させて、コ形本体１１と第１吊りボルト１とで水平支持枠３を抱持し、第１吊りボルト１に螺合した上下一対のナット１３，１３でコ形本体１１の両端部を挟み付けて固定するようにしたもので、取付金具４の構造がきわめて簡単で、水平支持枠３の取付作業も簡単容易となり、従って天井板吊持装置の施工能率が向上する。
【００１８】
以上説明した実施形態では、第１吊りボルト１の上端部をコンクリート製の天井スラブＳに取り付けるようにしているが、第１吊りボルト１の上端部は、このような天井スラブＳに限らず、屋根の下面側に位置する梁材や桁材あるいは天井デッキ等に取り付けることができるものである。
【図面の簡単な説明】
【００１９】
【図１】本発明に係る天井板吊持装置を示す斜視図である。
【図２】同天井板吊持装置の正面図である。
【図３】(a) は図２のＸ−Ｘ線断面図、(b) は図２のＹ−Ｙ線断面図である。
【図４】従来の天井板吊持装置を示す斜視図である。
【符号の説明】
【００２０】
Ｓ          天井スラブ
１          第１吊りボルト
２          第２吊りボルト
３          水平支持枠
４          取付金具
５          吊りボルト用ハンガー
６          野縁受け用ハンガー
７          野縁受け７
８          天井板取付用野縁
１１        コ形本体
１2         ボルト挿通孔
【図１】
2006097250.tif 000003
【図２】
2006097250.tif 000004
【図３】
2006097250.tif 000005
【図４】
2006097250.tif 000006